(57)【要約】【課題】複数のユーザでのコラボレーションであっても、効率的に操作することができる間取り設計システムを提供する。【解決手段】タグＩＤ読取部１０は、複数のＲＦＩＤリーダ３−１〜３−ｎによって、それぞれのブロック２−１〜２−ｎ上に置かれた、床材模型４、壁面模型５、家具模型６及びカメラ模型７のＲＦＩＤタグからタグＩＤを読み取る。ＣＧ設定情報作成部１１は、読み取られたタグＩＤに従って、データベース１２からそれぞれに対応する画像データや、カメラ情報などを読み取り、ＣＧ作成用のプロパティファイルを作成する。２ＤＣＧ作成アプリケーション１３は、上記プロパティファイルに従って、２次元の間取り図を作成してモニタ１５に表示する。また、３ＤＣＧ作成アプリケーション１４も同様にプロパティファイルに従って、３次元の間取り図を作成してモニタ１５に表示する。【選択図】図１
2009093330.tif 000002
【特許請求の範囲】
【請求項１】
模型識別情報記憶装置が取り付けられ、マトリクス状に設けられた区画により構成される設計対象の疑似空間の区画を区切るための物体または前記疑似空間の区画内に配置される物体を模擬する設計用疑似模型と、
前記区画それぞれにおいて前記設計用模擬模型が配置された方向を示す方向識別情報を記憶する前記方向ごとの複数の方向識別情報記憶装置と、
前記マトリクス状に設けられた区画毎に配置され、各区画に配置される前記設計用模擬模型の模型識別情報記憶装置に記憶されている模型識別情報と、前記方向識別情報とを読み取る識別情報読取中継装置と、
前記識別情報読取中継装置と通信接続されており、前記設計用疑似模型が配置された区画に対応する前記擬似空間の画像上の位置に、当該設計用疑似模型の画像を出力する模型画像出力装置と、を備え、
前記模型画像出力装置は、
前記複数の識別情報読取中継装置の読み取った、前記設計用模擬模型の模型識別情報記憶装置に記憶されている模型識別情報と、該模型識別情報を読み取った前記識別情報読取中継装置の前記マトリクス状の区画における位置を示す位置情報とを取得する取得手段と、
前記模型識別情報記憶装置の模型識別情報に対応付けて、前記設計用疑似模型が模擬する前記物体の画像を含む属性情報を記憶する属性情報記憶手段と、
前記設計用模擬模型が前記区画内に配置された際に、前記区画に配置される前記設計用模擬模型の区画内の配置位置を、前記方向識別情報記憶装置のうちのいずれかから読み取ることのできた複数の異なる方向識別情報に基づいて特定する配置位置特定手段と、
前記取得手段によって取得された設計用疑似模型の模型識別情報記憶装置に記憶されている模型識別情報に基づいて、該設計用模擬模型の属性情報を前記属性情報記憶手段から読み出し、該読み出した属性情報と、その設計用模擬模型の模型識別情報記憶装置に記憶されている模型識別情報を読み取った識別情報読取中継装置の位置情報と、その設計用模擬模型の前記区画内の配置位置とに基づいて、設計図を生成するための設計パラメータを生成する設計パラメータ生成手段と、
前記設計パラメータ生成手段により生成された設計パラメータに基づいて、前記設計用疑似模型が配置されたマトリクス状の区画に対応する位置に、当該設計用疑似模型が模擬する前記物体の画像が配置された設計図を出力する設計図出力手段と、
を備えることを特徴とする設計システム。
【請求項２】
前記疑似空間の区画内に配置される物体を模擬する設計用疑似模型は、回転方向を検出する回転方向検出手段を備え、
前記設計パラメータ生成手段は、前記回転方向に基づいて、前記設計用模擬模型の前記区画内の配置位置を変更した前記設計パラメータを生成する
ことを特徴とする請求項１に記載の設計システム。
【請求項３】
前記疑似模型は、カメラであり、
前記模型画像出力装置は、前記カメラの疑似模型毎の視点位置を記憶する視点位置記憶手段を備え、
前記設計パラメータと前記カメラの視点位置とを三次元画像作成再生装置に出力する三次元画像生成用情報出力手段と、
を更に備えることを特徴とする請求項１または２に記載の設計システム。
【請求項４】
前記設計対象の疑似空間における前記カメラの視点方向を検出する視点方向検出装置を更に備えることを特徴とする請求項３記載の設計システム。
【請求項５】
模型識別情報記憶装置が取り付けられ、マトリクス状に設けられた区画により構成される設計対象の疑似空間の区画を区切るための物体または前記疑似空間の区画内に配置される物体を模擬する設計用疑似模型と、
前記区画それぞれにおいて前記設計用模擬模型が配置された方向を示す方向識別情報を記憶する前記方向ごとの複数の方向識別情報記憶装置と、
前記マトリクス状に設けられた区画毎に配置され、各区画に配置される前記設計用模擬模型の模型識別情報記憶装置に記憶されている模型識別情報と、前記方向識別情報とを読み取る識別情報読取中継装置と、
前記識別情報読取中継装置と通信接続されており、前記設計用疑似模型が配置された区画に対応する前記擬似空間の画像上の位置に、当該設計用疑似模型の画像を出力する模型画像出力装置と、を備えた設計システムにおける設計方法であって、
前記模型画像出力装置は、
前記複数の識別情報読取中継装置の読み取った、前記設計用模擬模型の模型識別情報記憶装置に記憶されている模型識別情報と、該模型識別情報を読み取った前記識別情報読取中継装置の前記マトリクス状の区画における位置を示す位置情報とを取得し、
前記設計用模擬模型が前記区画内に配置された際に、前記区画に配置される前記設計用模擬模型の区画内の配置位置を、前記方向識別情報記憶装置のうちのいずれかから読み取ることのできた複数の異なる方向識別情報に基づいて特定し、
前記取得手段によって取得された設計用疑似模型の模型識別情報記憶装置に記憶されている模型識別情報に基づいて、該設計用模擬模型の属性情報を、前記模型識別情報記憶装置の模型識別情報に対応付けて、前記設計用疑似模型が模擬する前記物体の画像を含む属性情報を記憶する属性情報記憶手段から読み出し、該読み出した属性情報と、その設計用模擬模型の模型識別情報記憶装置に記憶されている模型識別情報を読み取った識別情報読取中継装置の位置情報と、その設計用模擬模型の前記区画内の配置位置とに基づいて、設計図を生成するための設計パラメータを生成し、
前記設計パラメータ生成手段により生成された設計パラメータに基づいて、前記設計用疑似模型が配置されたマトリクス状の区画に対応する位置に、当該設計用疑似模型が模擬する前記物体の画像が配置された設計図を出力する
ことを特徴とする設計方法。
【請求項６】
模型識別情報記憶装置が取り付けられ、マトリクス状に設けられた区画により構成される設計対象の疑似空間の区画を区切るための物体または前記疑似空間の区画内に配置される物体を模擬する設計用疑似模型と、
前記区画それぞれにおいて前記設計用模擬模型が配置された方向を示す方向識別情報を記憶する前記方向ごとの複数の方向識別情報記憶装置と、
前記マトリクス状に設けられた区画毎に配置され、各区画に配置される前記設計用模擬模型の模型識別情報記憶装置に記憶されている模型識別情報と、前記方向識別情報とを読み取る識別情報読取中継装置と、
前記識別情報読取中継装置と通信接続されており、前記設計用疑似模型が配置された区画に対応する前記擬似空間の画像上の位置に、当該設計用疑似模型の画像を出力する模型画像出力装置と、を備えた設計システムにおける前記模型画像出力装置であって、
前記複数の識別情報読取中継装置の読み取った、前記設計用模擬模型の模型識別情報記憶装置に記憶されている模型識別情報と、該模型識別情報を読み取った前記識別情報読取中継装置の前記マトリクス状の区画における位置を示す位置情報とを取得する取得手段と、
前記模型識別情報記憶装置の模型識別情報に対応付けて、前記設計用疑似模型が模擬する前記物体の画像を含む属性情報を記憶する属性情報記憶手段と、
前記設計用模擬模型が前記区画内に配置された際に、前記区画に配置される前記設計用模擬模型の区画内の配置位置を、前記方向識別情報記憶装置のうちのいずれかから読み取ることのできた複数の異なる方向識別情報に基づいて特定する配置位置特定手段と、
前記取得手段によって取得された設計用疑似模型の模型識別情報記憶装置に記憶されている模型識別情報に基づいて、該設計用模擬模型の属性情報を前記属性情報記憶手段から読み出し、該読み出した属性情報と、その設計用模擬模型の模型識別情報記憶装置に記憶されている模型識別情報を読み取った識別情報読取中継装置の位置情報と、その設計用模擬模型の前記区画内の配置位置とに基づいて、設計図を生成するための設計パラメータを生成する設計パラメータ生成手段と、
前記設計パラメータ生成手段により生成された設計パラメータに基づいて、前記設計用疑似模型が配置されたマトリクス状の区画に対応する位置に、当該設計用疑似模型が模擬する前記物体の画像が配置された設計図を出力する設計図出力手段と、
を備えることを特徴とする模型画像出力装置。
【請求項７】
模型識別情報記憶装置が取り付けられ、マトリクス状に設けられた区画により構成される設計対象の疑似空間の区画を区切るための物体または前記疑似空間の区画内に配置される物体を模擬する設計用疑似模型と、
前記区画それぞれにおいて前記設計用模擬模型が配置された方向を示す方向識別情報を記憶する前記方向ごとの複数の方向識別情報記憶装置と、
前記マトリクス状に設けられた区画毎に配置され、各区画に配置される前記設計用模擬模型の模型識別情報記憶装置に記憶されている模型識別情報と、前記方向識別情報とを読み取る識別情報読取中継装置と、
前記識別情報読取中継装置と通信接続されており、前記設計用疑似模型が配置された区画に対応する前記擬似空間の画像上の位置に、当該設計用疑似模型の画像を出力する模型画像出力装置と、を備えた設計システムにおける前記模型画像出力装置のコンピュータを、
前記複数の識別情報読取中継装置の読み取った、前記設計用模擬模型の模型識別情報記憶装置に記憶されている模型識別情報と、該模型識別情報を読み取った前記識別情報読取中継装置の前記マトリクス状の区画における位置を示す位置情報とを取得する取得手段、
前記設計用模擬模型が前記区画内に配置された際に、前記区画に配置される前記設計用模擬模型の区画内の配置位置を、前記方向識別情報記憶装置のうちのいずれかから読み取ることのできた複数の異なる方向識別情報に基づいて特定する配置位置特定手段、
前記取得手段によって取得された設計用疑似模型の模型識別情報記憶装置に記憶されている模型識別情報に基づいて、該設計用模擬模型の属性情報を、前記模型識別情報記憶装置の模型識別情報に対応付けて、前記設計用疑似模型が模擬する前記物体の画像を含む属性情報を記憶する属性情報記憶手段から読み出し、該読み出した属性情報と、その設計用模擬模型の模型識別情報記憶装置に記憶されている模型識別情報を読み取った識別情報読取中継装置の位置情報と、その設計用模擬模型の前記区画内の配置位置とに基づいて、設計図を生成するための設計パラメータを生成する設計パラメータ生成手段、
前記設計パラメータ生成手段により生成された設計パラメータに基づいて、前記設計用疑似模型が配置されたマトリクス状の区画に対応する位置に、当該設計用疑似模型が模擬する前記物体の画像が配置された設計図を出力する設計図出力手段、
として機能させるためのプログラム。
【発明の詳細な説明】
【技術分野】
【０００１】
本発明は、部屋等の間取り図の画像を作成および表示する設計システム、設計方法、及び模型画像出力装置とそのプログラムに関する。
【背景技術】
【０００２】
従来、住宅等の設計においては、ＰＣ（Personal Computer）の画面上で、予め用意された部屋の種類（リビング、ダイニング、洋室、和室等）をマウスで選択し、当該部屋の格子状の任意の位置に部屋のインテリアを決定する壁や窓、壁などのオブジェクトをドラッグアンドドロップして間取りを設定する技術が知られている（例えば、特許文献１参照）。該従来技術では、床の素材や、壁の素材、家具などは、その寸法や、色、素材などを予めデータベースに登録しておき、必要に応じて読み出して部屋毎に選択する。
【特許文献１】特開２００２−２４３１７号公報
【発明の開示】
【発明が解決しようとする課題】
【０００３】
しかしながら、上述した従来技術（特許文献１）では、間取りや、インテリアの設定、移動などの操作全般において、マウス等のポインティングデバイス操作が必要である。このため、複数人でのコラボレーションにおいては、入力装置を共有することができないため、効率的な操作ができないという問題がある。
【０００４】
本発明は、このような事情を考慮してなされたものであり、その目的は、複数のユーザでのコラボレーションであっても、効率的に操作することができる設計システム、設計方法、及び模型画像出力装置とそのプログラムを提供することにある。
【課題を解決するための手段】
【０００５】
上述した課題を解決するために、本発明は、模型識別情報記憶装置が取り付けられ、マトリクス状に設けられた区画により構成される設計対象の疑似空間の区画を区切るための物体または前記疑似空間の区画内に配置される物体を模擬する設計用疑似模型と、前記区画それぞれにおいて前記設計用模擬模型が配置された方向を示す方向識別情報を記憶する前記方向ごとの複数の方向識別情報記憶装置と、前記マトリクス状に設けられた区画毎に配置され、各区画に配置される前記設計用模擬模型の模型識別情報記憶装置に記憶されている模型識別情報と、前記方向識別情報とを読み取る識別情報読取中継装置と、前記識別情報読取中継装置と通信接続されており、前記設計用疑似模型が配置された区画に対応する前記擬似空間の画像上の位置に、当該設計用疑似模型の画像を出力する模型画像出力装置と、を備え、前記模型画像出力装置は、前記複数の識別情報読取中継装置の読み取った、前記設計用模擬模型の模型識別情報記憶装置に記憶されている模型識別情報と、該模型識別情報を読み取った前記識別情報読取中継装置の前記マトリクス状の区画における位置を示す位置情報とを取得する取得手段と、前記模型識別情報記憶装置の模型識別情報に対応付けて、前記設計用疑似模型が模擬する前記物体の画像を含む属性情報を記憶する属性情報記憶手段と、前記設計用模擬模型が前記区画内に配置された際に、前記区画に配置される前記設計用模擬模型の区画内の配置位置を、前記方向識別情報記憶装置のうちのいずれかから読み取ることのできた複数の異なる方向識別情報に基づいて特定する配置位置特定手段と、前記取得手段によって取得された設計用疑似模型の模型識別情報記憶装置に記憶されている模型識別情報に基づいて、該設計用模擬模型の属性情報を前記属性情報記憶手段から読み出し、該読み出した属性情報と、その設計用模擬模型の模型識別情報記憶装置に記憶されている模型識別情報を読み取った識別情報読取中継装置の位置情報と、その設計用模擬模型の前記区画内の配置位置とに基づいて、設計図を生成するための設計パラメータを生成する設計パラメータ生成手段と、前記設計パラメータ生成手段により生成された設計パラメータに基づいて、前記設計用疑似模型が配置されたマトリクス状の区画に対応する位置に、当該設計用疑似模型が模擬する前記物体の画像が配置された設計図を出力する設計図出力手段と、を備えることを特徴とする設計システムである。
【０００６】
本発明は、上記の発明において、前記疑似空間の区画内に配置される物体を模擬する設計用疑似模型は、回転方向を検出する回転方向検出手段を備え、前記設計パラメータ生成手段は、前記回転方向に基づいて、前記設計用模擬模型の前記区画内の配置位置を変更した前記設計パラメータを生成することを特徴とする。
【０００７】
本発明は、上記の発明において、前記疑似模型は、カメラであり、前記模型画像出力装置は、前記カメラの疑似模型毎の視点位置を記憶する視点位置記憶手段を備え、前記設計パラメータと前記カメラの視点位置とを三次元画像作成再生装置に出力する三次元画像生成用情報出力手段と、を更に、備えることを特徴とする。
【０００８】
本発明は、上記の発明において、前記設計対象の疑似空間における前記カメラの視点方向を検出する視点方向検出装置を更に備えることを特徴とする。
【０００９】
また、上述した課題を解決するために、本発明は、模型識別情報記憶装置が取り付けられ、マトリクス状に設けられた区画により構成される設計対象の疑似空間の区画を区切るための物体または前記疑似空間の区画内に配置される物体を模擬する設計用疑似模型と、前記区画それぞれにおいて前記設計用模擬模型が配置された方向を示す方向識別情報を記憶する前記方向ごとの複数の方向識別情報記憶装置と、前記マトリクス状に設けられた区画毎に配置され、各区画に配置される前記設計用模擬模型の模型識別情報記憶装置に記憶されている模型識別情報と、前記方向識別情報とを読み取る識別情報読取中継装置と、前記識別情報読取中継装置と通信接続されており、前記設計用疑似模型が配置された区画に対応する前記擬似空間の画像上の位置に、当該設計用疑似模型の画像を出力する模型画像出力装置と、を備えた設計システムにおける設計方法であって、前記模型画像出力装置は、前記複数の識別情報読取中継装置の読み取った、前記設計用模擬模型の模型識別情報記憶装置に記憶されている模型識別情報と、該模型識別情報を読み取った前記識別情報読取中継装置の前記マトリクス状の区画における位置を示す位置情報とを取得し、前記設計用模擬模型が前記区画内に配置された際に、前記区画に配置される前記設計用模擬模型の区画内の配置位置を、前記方向識別情報記憶装置のうちのいずれかから読み取ることのできた複数の異なる方向識別情報に基づいて特定し、前記取得手段によって取得された設計用疑似模型の模型識別情報記憶装置に記憶されている模型識別情報に基づいて、該設計用模擬模型の属性情報を、前記模型識別情報記憶装置の模型識別情報に対応付けて、前記設計用疑似模型が模擬する前記物体の画像を含む属性情報を記憶する属性情報記憶手段から読み出し、該読み出した属性情報と、その設計用模擬模型の模型識別情報記憶装置に記憶されている模型識別情報を読み取った識別情報読取中継装置の位置情報と、その設計用模擬模型の前記区画内の配置位置とに基づいて、設計図を生成するための設計パラメータを生成し、
前記設計パラメータ生成手段により生成された設計パラメータに基づいて、前記設計用疑似模型が配置されたマトリクス状の区画に対応する位置に、当該設計用疑似模型が模擬する前記物体の画像が配置された設計図を出力することを特徴とする設計方法である。
【００１０】
また、上述した課題を解決するために、本発明は、模型識別情報記憶装置が取り付けられ、マトリクス状に設けられた区画により構成される設計対象の疑似空間の区画を区切るための物体または前記疑似空間の区画内に配置される物体を模擬する設計用疑似模型と、前記区画それぞれにおいて前記設計用模擬模型が配置された方向を示す方向識別情報を記憶する前記方向ごとの複数の方向識別情報記憶装置と、前記マトリクス状に設けられた区画毎に配置され、各区画に配置される前記設計用模擬模型の模型識別情報記憶装置に記憶されている模型識別情報と、前記方向識別情報とを読み取る識別情報読取中継装置と、前記識別情報読取中継装置と通信接続されており、前記設計用疑似模型が配置された区画に対応する前記擬似空間の画像上の位置に、当該設計用疑似模型の画像を出力する模型画像出力装置と、を備えた設計システムにおける前記模型画像出力装置であって、前記複数の識別情報読取中継装置の読み取った、前記設計用模擬模型の模型識別情報記憶装置に記憶されている模型識別情報と、該模型識別情報を読み取った前記識別情報読取中継装置の前記マトリクス状の区画における位置を示す位置情報とを取得する取得手段と、前記模型識別情報記憶装置の模型識別情報に対応付けて、前記設計用疑似模型が模擬する前記物体の画像を含む属性情報を記憶する属性情報記憶手段と、前記設計用模擬模型が前記区画内に配置された際に、前記区画に配置される前記設計用模擬模型の区画内の配置位置を、前記方向識別情報記憶装置のうちのいずれかから読み取ることのできた複数の異なる方向識別情報に基づいて特定する配置位置特定手段と、前記取得手段によって取得された設計用疑似模型の模型識別情報記憶装置に記憶されている模型識別情報に基づいて、該設計用模擬模型の属性情報を前記属性情報記憶手段から読み出し、該読み出した属性情報と、その設計用模擬模型の模型識別情報記憶装置に記憶されている模型識別情報を読み取った識別情報読取中継装置の位置情報と、その設計用模擬模型の前記区画内の配置位置とに基づいて、設計図を生成するための設計パラメータを生成する設計パラメータ生成手段と、前記設計パラメータ生成手段により生成された設計パラメータに基づいて、前記設計用疑似模型が配置されたマトリクス状の区画に対応する位置に、当該設計用疑似模型が模擬する前記物体の画像が配置された設計図を出力する設計図出力手段と、を備えることを特徴とする模型画像出力装置である。
【００１１】
また、上述した課題を解決するために、本発明は、模型識別情報記憶装置が取り付けられ、マトリクス状に設けられた区画により構成される設計対象の疑似空間の区画を区切るための物体または前記疑似空間の区画内に配置される物体を模擬する設計用疑似模型と、前記区画それぞれにおいて前記設計用模擬模型が配置された方向を示す方向識別情報を記憶する前記方向ごとの複数の方向識別情報記憶装置と、前記マトリクス状に設けられた区画毎に配置され、各区画に配置される前記設計用模擬模型の模型識別情報記憶装置に記憶されている模型識別情報と、前記方向識別情報とを読み取る識別情報読取中継装置と、前記識別情報読取中継装置と通信接続されており、前記設計用疑似模型が配置された区画に対応する前記擬似空間の画像上の位置に、当該設計用疑似模型の画像を出力する模型画像出力装置と、を備えた設計システムにおける前記模型画像出力装置のコンピュータを、前記複数の識別情報読取中継装置の読み取った、前記設計用模擬模型の模型識別情報記憶装置に記憶されている模型識別情報と、該模型識別情報を読み取った前記識別情報読取中継装置の前記マトリクス状の区画における位置を示す位置情報とを取得する取得手段、前記設計用模擬模型が前記区画内に配置された際に、前記区画に配置される前記設計用模擬模型の区画内の配置位置を、前記方向識別情報記憶装置のうちのいずれかから読み取ることのできた複数の異なる方向識別情報に基づいて特定する配置位置特定手段、前記取得手段によって取得された設計用疑似模型の模型識別情報記憶装置に記憶されている模型識別情報に基づいて、該設計用模擬模型の属性情報を、前記模型識別情報記憶装置の模型識別情報に対応付けて、前記設計用疑似模型が模擬する前記物体の画像を含む属性情報を記憶する属性情報記憶手段から読み出し、該読み出した属性情報と、その設計用模擬模型の模型識別情報記憶装置に記憶されている模型識別情報を読み取った識別情報読取中継装置の位置情報と、その設計用模擬模型の前記区画内の配置位置とに基づいて、設計図を生成するための設計パラメータを生成する設計パラメータ生成手段、前記設計パラメータ生成手段により生成された設計パラメータに基づいて、前記設計用疑似模型が配置されたマトリクス状の区画に対応する位置に、当該設計用疑似模型が模擬する前記物体の画像が配置された設計図を出力する設計図出力手段、として機能させるためのプログラムである。
【発明の効果】
【００１２】
この発明によれば、模型識別情報記憶装置を貼り付けた設計用疑似模型を、マトリクス状の区画上に置くことで、該区画に配置された識別情報読取中継装置により、設計用疑似模型の模型識別情報記憶装置に記憶されている模型識別情報を読み取り、マトリクス状の区画により構成される設計対象の疑似空間上の、設計用疑似模型が配置された区画の位置に、当該設計用疑似模型の画像を出力するようにしたので、何がどこに置かれたかを自動的に認識させ、置かれたものを入力として画面に表示させることで、ユーザが直感的に操作することができるとともに、複数のユーザにより同時に操作しても、効率的に設計を行うことができるという利点が得られる。
【００１３】
また、本発明によれば、設計用模擬模型の回転方向に基づいて、当該設計用模擬模型の回転方向の変更後の配置位置を示す設計パラメータを生成するので、自動的に、設計用模擬模型が変更した配置となる画像を出力することができる。
【００１４】
また、本発明によれば、前記疑似模型をカメラとし、設計パラメータと前記カメラの視点位置とを三次元画像作成再生装置に出力することで、既存の三次元画像作成再生装置であっても、ユーザが直感的に操作することができるとともに、複数のユーザにより同時に操作しても、効率的に設計を行うことができるという利点が得られる。
【００１５】
また、この発明によれば、設計対象の疑似空間におけるカメラの視点方向を検出することにより、カメラの疑似模型を動かすだけで、三次元画像上の視点方向を、直観的に容易に動かすことができるという利点が得られる。
【発明を実施するための最良の形態】
【００１６】
以下、本発明の一実施形態を、図面を参照して説明する。
【００１７】
図１は、本発明の実施形態による間取り設計システムの構成を示すブロック図である。図において、ＲＦＩＤリーダ盤面１は、Ｎ×Ｍの碁盤目のように複数のブロック（区画）２−１〜２−ｎに分割されており、各ブロック２−１〜２−ｎには、１つのＲＦＩＤリーダ３−１〜３−ｎと４つの方向タグ（後述）が設けられている。各ブロック２−１〜２−ｎの面は四角形の範囲である。また、床材模型４、壁面模型５及び家具模型６は、住宅等の間取り設計を行うための部品であり、各々、固有のタグＩＤを有するＲＦＩＤタグ４−１、５−１、６−１を備えている。床材模型４、及び壁面模型５は、所望する間取りに応じて、上記ＲＦＩＤリーダ盤面１の任意のブロック２−１〜２−ｎ上に置くことが可能となっている。また、家具模型６は、ＲＦＩＤタグ６−１に加えて、模型の置かれた方向（向き）を検出するための方向センサ（例えば、６軸加速度センサなど）６−２を備えている。
【００１８】
また、カメラ模型７は、３次元の間取り図における視点を模擬する部品であり、上記家具模型６と同様に、固有のタグＩＤを有するＲＦＩＤタグ７−１に加えて、視点方向を検出するための方向センサ（例えば、６軸加速度センサなど）７−２を備えている。該カメラ模型７も他の模型と同様に、ＲＦＩＤリーダ盤面１の任意のブロック２−１〜２−ｎ上に置くことが可能となっている。該カメラ模型７を置くことで、間取り設計システムにおける間取り設計装置が、２次元の間取り図表示から３次元の間取り図表示への切り替え、その位置から見た３ＤＣＧ画像の表示を行う。カメラ模型７が取り除かれると、元の２次元の間取り図表示へ戻る。なお、カメラ模型７には、視点位置（高さ）が異なる複数の種類のカメラ模型が用意されている。
【００１９】
複数のＲＦＩＤリーダ３−１〜３−ｎは、各々、後述するタグＩＤ読取部１０からの読み取りコマンドに従って、自身のブロック２−１〜２−ｎ上に床材模型４、壁面模型５、家具模型６及びカメラ模型７が置かれると、そのＲＦＩＤタグ４−１、５−１、６−１、７−１からタグＩＤを読み取る。これにより、各ＲＦＩＤリーダ３−１〜３−ｎのブロック２−１〜２−ｎ上に置かれた模型がどの模型であるかを検出することができる。１つのブロック２−ｉには、複数の模型を置くことが可能であり、基本的に、１つの床材模型４、４つ以下の壁面模型５、そして、必要に応じて家具模型６、カメラ模型７が置かれる。
【００２０】
なお、床材模型４、壁面模型５、家具模型６及びカメラ模型７は、各々、床材の種類、壁面の種類、家具の種類、カメラの種類に応じて、複数の模型が用意されている。また、上述した方向センサ６−２、７−２は、ＲＦＩDシステムによる無線通信とは別の無線通信（例えば、Ｂｌｕｅｔｏｏｔｈなど）で、当該センサを識別するための固有のセンサＩＤと方向情報とを、タグＩＤ読取部１０に送信する。
【００２１】
タグＩＤ読取部１０は、所定のタイミング（例えば、１秒間隔）で、読み取りコマンドを各ＲＦＩＤリーダ３−１〜３−ｎに送信し、各ＲＦＩＤリーダ３−１〜３−ｎが読み取ったＲＦＩＤタグ４−１、５−１、６−１、７−１（これらの組み合わせ）のタグＩＤを取得する。また、タグＩＤ読取部１０は、ＲＦＩＤリーダ３−１〜３−ｎ上に模型が置かれておらず、タグＩＤを取得できなかった場合には、ダミータグＩＤのみをＣＧ設定情報作成部１１に供給する。
【００２２】
ＣＧ設定情報作成部１１は、タグＩＤ読取部１０からのタグＩＤ群に対して、データベース１２から各タグＩＤ４−１、５−１、６−１、７−１に対応する、床材、壁面部品、家具などの画像データや、カメラ情報などを読み取り、ＣＧ作成用のプロパティファイルを作成し、２ＤＣＧ作成アプリケーション１３及び３ＤＣG作成外部アプリケーション１４に供給する。なお、上記２ＤＣＧ作成アプリケーション１３及び３ＤＣＧ作成アプリケーション１４は、既存のアプリケーションである。
【００２３】
データベース１２は、タグＩＤ４−１、５−１、６−１、７−１と模型種類や、ＲＦＩＤリーダＩＤで特定されるＲＦＩＤリーダ３−１〜３−ｎの位置、方向センサ６−２、７−２が設けられている模型を示すタグＩＤ、壁面模型５の方向、床材模型４、壁面模型５、家具模型６とそれらの画像パス、カメラ模型７の属性、各ＲＦＩＤリーダ３−１〜３−ｎ上に置かれている模型のＲＦＩＤタグ一覧、方向センサ６−２、７−２で示される方向情報などを各テーブルで保存している。なお、各テーブルの詳細については後述する。
【００２４】
２ＤＣＧ作成アプリケーション１３は、上記プロパティファイルに従って、２次元の間取り図を作成する。３ＤＣＧ作成アプリケーション１４は、プロパティファイルに従って、３次元の間取り図を作成する。モニタ１５は、２次元の間取り図、または３次元の間取り図のどちらかを表示する。上述したように、ＲＦＩＤリーダ盤面１のいずれかのブロックにカメラ模型７が置かれると、２次元から３次元へ切り替え、カメラ模型７が取り除かれると、３次元から２次元に切り替えるようになっている。そして、タグＩＤ読取部１０、ＣＧ設定情報作成部１１、データベース１２、２ＤＣＧ作成アプリケーション１３の処理部は、例えば、間取り設計装置（模型画像出力装置；ＰＣなど）により構成される。また３ＤＣＧ作成外部アプリケーション１４の処理部は、例えば、間取り設計装置とは異なる三次元画像作成再生装置により構成される。なお、間取り設計装置と三次元画像作成再生装置との機能が同一の装置内に構成されていてもよい。
【００２５】
図２は、本実施形態による床材模型、壁面模型、家具模型の外観を示す斜視図である。床材模型４には、図２（ａ）に示すように、その模型で表す床材の材質サンプル４−２が貼り付けられている。床材の材質としては、例えば、カーペット、フローリング、畳などがある。また、壁面模型５には、図２（ｂ）に示すように、該模型によって表現される壁面部材５−２、すなわち、実際の壁紙や、窓や、扉の模型、写真または図３（ａ）〜（ｃ）に示す図面などが貼り付けられている。図３（ａ）は、窓を示す図面、同図（ｂ）は、扉を示す図面、同図（ｃ）は、壁を示す図面である。次に、家具模型６は、図２（ｃ）に示すように、実際の家具の縮尺や、形状、材質などが模擬されている。ユーザは、床材模型４、壁面模型５に貼り付けられた材質サンプル４−２、５−２を見たり、触ったり、家具模型６を見て確認することで、その模型を置いた部屋が、どのような床材で、どのような壁面で、どのような家具が置かれるかを直観的に把握することができるとともに、間取り設計システムに、それら模型の情報を入力することができる。
【００２６】
次に、図４は、本実施形態によるカメラ模型の外観を示す斜視図である。カメラ模型７は、実際のカメラのように、カメラ部分７−３と、該カメラ部分７−３を支持し、視点の位置（高さ）を規定する足部（三脚や一脚）７−４とからなる。カメラ模型７の置く向きにより、視点方向が決まり、カメラ部７−３の上下方向を調整することで仰角が決まる。ユーザは、カメラ模型７を置くブロック２−ｉを変えることで、視点の位置を任意に変えることができ、直感的な操作で設定した間取りを確認することができる。また、カメラ模型７の高さの違い（足部７−４の長さの違い）をそのまま視点の高さに反映させることで、視点の高さを直感的に変更することができる。また、カメラ模型７に方向センサ７−２を設けることで、３次元間取り図表示における視点の方向を直感的に変更することが可能となっている。
【００２７】
次に、図５は、本実施形態による壁面模型とＲＦＩＤリーダ盤面のブロックとの関係、構造を示す上面図である。壁面模型５は、図５（ａ）に示すように、いわゆる壁面を模擬する垂直部材５−３とＲＦＩＤタグ５−１が設けられた水平部材５−４とかなる。垂直部材５−３には、上述したように、その模型によって表現される壁面部材５−２が貼り付けられており、水平部材５−４にはＲＦＩＤタグ５−１が設けられている。また、該壁面模型５をＲＦＩＤリーダ盤面１のブロック２−ｉに置いたときにブロック２−ｉ面と接する水平部材５−４の下面には、ＲＦＩＤリーダ５−１部分を除いて金属箔（アルミ箔など）５−５が貼り付けられている。
【００２８】
一方、ＲＦＩＤリーダ盤面１のブロック２−１〜２−ｎにおいて、隣接する他のブロックとの間には、壁面模型５を設置する位置や方向を特定するための溝２０が設けられている。これにより、ユーザは、所定の位置に壁面模型５を設置することができる。また、ＲＦＩＤリーダ盤面１のブロック２−ｉには、図５（ｂ）に示すように、ＲＦＩＤリーダ３−ｉの内側に、４つの方向タグ（ＲＦＩDタグ）２２−１〜２２−４が設けられている。該方向タグ２２−１〜２２−４は、ブロック２−ｉの各辺に対応する４方向に設けられ、壁面模型５を溝２０に設置したときに、いずれか一つの方向タグが金属箔５−５により覆われるように配置されている。
【００２９】
次に、図５（ｃ）では、壁面模型がブロックに置かれた状態を示している。図５（ｃ）で示すように、壁面模型５がブロック２−ｉ上に置かれることで、水平部材５−４に設けられている金属箔５−５により、ブロック２−ｉ側に設けられている方向タグ２２−１が覆われる。これにより、方向タグ２２−１とＲＦＩＤリーダ３−ｉとの通信が遮断され、該方向タグ２２−１がＲＦＩDリーダ３−ｉにより検出されなくなる。したがって、図１に示すタグＩＤ読取部は、ＲＦＩDリーダ３−ｉにより検出されなかった方向タグ２２−１側のブロック２−ｉの辺の方向に壁面模型５が置かれたと判断すればよい。なお、全ての方向タグ２２−１〜２２−４がＲＦＩＤリーダ３−ｉにより検出されている場合には、壁面模型５が置かれていないと判断する。また、方向タグ２２−１〜２２−４は、図５（ｂ）に示すように、それぞれ、間取り図上の東西南北（上下左右であってもよい）に対応している。
【００３０】
図６は、本実施形態による間取り設計システムにより作成された間取り図の表示例を示す模式図である。なお、図示の例では、説明を簡単にするために、３×３のブロック２−１〜２−９からなるＲＦＩＤリーダ盤面を用いている。例えば、図６（ａ）に示すように、ブロック２−４、２−７に床材模型（畳）４が置かれ、それ以外のブロック２−１〜２−３、２−５、２−６、２−８、２−９に床材模型（フローリング）４が置かれると、間取り設計システムは、図６（ｂ）に示すように、間取り図上の対応する位置に、畳やフローリングの床が表示する処理を行う。また、ブロック２−１の西方向に壁面模型（扉）５が置かれると、間取り図上の対応する位置に扉が表示する処理を行う。また、ブロック２−３に家具模型（タンス）６が置かれると、間取り図上の対応する位置にタンスが表示する処理を行う。
【００３１】
なお、ブロック２−ｉの４つのエッジに溝２０を設けた場合は、隣同士のブロックの境界に２つの壁面模型５が置かれてしまう場合もある。しかしながら、現実には、１つの壁面は、１つの壁面で設計されるので、２つの壁面模型（壁−壁（窓、扉））が置かれると不都合が生じる。そこで、隣同士のブロックの境界に向き合うように壁面模型が置かれた場合には警告を出すようになっている。例えば、ＣＧ設定情報作成部１１は、隣り合うブロック２−ｉそれぞれのＲＦＩＤリーダ３−ｉから読み取ったタグＩＤが、データベース１２の警告テーブルに記録されている各ＩＤ（壁ＩＤと窓ＩＤの２つの組合せ）であって、かつ、隣り合うブロック２−ｉのそれぞれで隣接する方向タグのＩＤが読み取れない場合には、警告を出力する。また、ＣＧ設定情報作成部１１は、同じブロック２−ｉで複数の床模型４のタグＩＤを取得した場合や、同じブロック２−ｉで同一方向に同じ家具模型６のタグＩＤを取得した場合にも警告を出力するようにしてもよい。
【００３２】
このように、壁面模型５を置く４つの方向に方向タグ２２−１〜２２−４を予め貼り付けておき、壁面模型５を置いたときに、模型側に貼り付けた金属箔５−５により、ＲＦＩＤリーダ３−ｉの読み取りを遮断するように、その方向タグ２２−ｊを覆うようにすることで、どの方向に壁面模型５を置いたかを容易にシステムに認識させることが可能となり、ユーザも直感的に操作することが可能となる。
なお、本実施形態では、壁面模型５を置く向きを４方位（東西南北または上下左右）としたときの例で説明したが、例えば方向タグを８方向に設けて、８方位としてもよい。この場合、溝２０も方向タグのそれぞれの位置に対応して設けられる。
【００３３】
次に、図７は、本実施形態によるデータベース１２のタグＩＤテーブルのデータ構成を示す概念図である。図において、タグＩＤテーブル１２−１には、各模型に設けられている全てのＲＦＩＤタグについて、模型の種別や、どのような部材を示しているかが予め登録されている。具体的には、タグＩＤテーブル１２−１には、タグＩＤ毎に、タグ種別（床材、壁面部品、家具、カメラ）と、部材ＩＤ（床材ＩＤ、壁面ＩＤ、家具ＩＤ、カメラＩＤ）とが対応付けて予め記憶されている。
【００３４】
次に、図８は、本実施形態によるデータベース１２のリーダＩＤテーブルのデータ構成を示す概念図である。図において、リーダＩＤテーブル１２−２には、ＲＦＩＤリーダ毎に、その位置を示す位置座標（ＲＦＩＤリーダ盤面１における位置）と、タグＩＤを読み取らせる際にＲＦＩＤリーダを指定するためのＩＰアドレスとが対応付けて予め記憶されている。
【００３５】
次に、図９は、本実施形態によるデータベース１２のセンサＩＤテーブルのデータ構成を示す概念図である。図において、センサＩＤテーブル１２−３には、タグＩＤ毎に、そのＲＦＩＤタグが設けられているセンサを識別するためのセンサＩＤが対応付けて予め記憶されている。すなわち、家具模型６に設けられている方向センサ６−２から方向情報を受信した際に、該センサＩＤテーブル１２−３を参照することで、該方向情報がどの家具模型６のものであるかを認識することができる。
【００３６】
次に、図１０は、本実施形態によるデータベースの床材テーブル、壁面テーブル、家具テーブル、カメラテーブルのデータ構成を示す概念図である。床材テーブル１２−４には、図１０（ａ）に示すように、床材ＩＤ毎に、床材種類（畳、カーペット、フローリングなど）と、ＣＧ部品（縦・横・高さの３次元情報からなる、線画を描くための情報）と、画像ファイルのパス（記憶場所）とが対応付けて予め記憶されている。
【００３７】
また、壁面テーブル１２−５には、図１０（ｂ）に示すように、壁面ＩＤ毎に、壁面部品（壁、窓、扉など）と、ＣＧ部品と、画像ファイルのパスとが対応付けて予め記憶されている。同様に、家具テーブル１２−６には、図１０（ｃ）に示すように、家具ＩＤ毎に、家具種類（タンス、机、テーブルなど）と、ＣＧ部品と、画像ファイルのパスとが対応付けて予め記憶されている。また、カメラテーブル１２−７には、図１０（ｄ）に示すように、カメラＩＤ毎に、カメラの種類と、カメラ情報（視点の高さ：１２０ｃｍ、１６０ｃｍなど）とが対応付けられて記憶されている。
【００３８】
次に、図１１は、本実施形態での動作において、データベースに随時記憶される各ＲＦＩＤリーダに置かれたＲＦＩＤタグを管理する設置模型テーブル１２−８のデータ構成を示す概念図である。上述したように、タグＩＤ読取部１０は、所定のタイミング（例えば、１秒間隔）で、各ＲＦＩＤリーダ３−１〜３−ｎから読み取ったＲＦＩＤタグのタグＩＤを取得すると、図１１に示す設置模型テーブル１２−８に、各ＲＦＩＤリーダ３−１〜３−ｎに置かれたＲＦＩＤタグのタグＩＤを保持する。そのため、設置模型テーブル１２−８には、図１１に示すように、各ＲＦＩＤリーダのリーダＩＤに対して、そのＲＦＩＤリーダ上に置かれた模型に設けられているＲＦＩDタグのタグＩＤが対応付けられて記憶される。
【００３９】
次に、図１２は、本実施形態での動作において、家具模型及びカメラ模型に設けられている方向センサから送信される方向情報を格納するセンサ方向テーブル１２−９のデータ構成を示す概念図である。家具模型６及びカメラ模型７に設けられている方向センサ６−２、７−２は、所定の時間間隔（例えば、１秒間隔）で、その模型の方向（位置）を示す方向情報を、自身のセンサＩＤとともに、所定の通信方式で送信する。タグＩＤ読取部１０は、各方向センサ６−２、７−２からのセンサＩＤと方向情報とを取得すると、図１２に示すセンサ方向テーブル１２−９に保持する。そのため、センサ方向テーブル１２−９には、図１２に示すように、センサＩＤに対して、その方向情報が対応付けられて記憶される。
【００４０】
次に、図１３は、本実施形態での動作において、壁面模型がどの方向に置かれているかを示す情報を格納するタグ方向テーブル１２−１０のデータ構成を示す概念図である。上述したように、壁面模型５は、ブロック２−１〜２−ｎに対して東西南北（または上下左右）のいずれかの方向に置かれることになる。そこで、タグ方向テーブル１２−１０には、図１３に示すように、壁面模型５が配置されたＲＦＩＤリーダ３−ｎのリーダＩＤと、そのリーダＩＤで示されるＲＦＩＤリーダ３−ｎに取り付けられた複数の方向タグ２２−ｉの各タグＩＤと、それら各方向タグ２２−ｉのブロック２−ｉ上の位置（東西南北または上下左右）の情報と、各方向タグ２２−ｉのタグＩＤを取得したか否かを示す取得フラグ（０；未取得、１；取得済み）とを対応付けて記憶するテーブルである。たとえば、壁面模型５のタグＩＤが配置されたブロック２−ｉ上の東，西，南のそれぞれのタグＩＤを受信した場合には、その壁面模型５が配置されたブロック２−ｉに対応するＲＦＩＤリーダ３−ｎのリーダＩＤと、東，西，南のそれぞれの方向タグ２２−ｉのタグＩＤの組合せに対応する取得フラグが１となる。従って、取得フラグが０となっている方向に、壁面模型５が配置されることが分かる。なお、壁面模型５の配置位置を特定する方法はこれに限らず、マトリックス状の区画それぞれにおいて壁面模型５等の設計用模擬模型が配置された方向を示す方向識別情報（本実施形態においては方向タグＩＤ）を記憶する方向識別情報記憶装置（本実施形態においては方向タグ２２−ｉ）が備えられ、設計用模擬模型が区画内に配置された際に、区画に配置される設計用模擬模型の区画内の配置位置を、方向識別情報記憶装置から読み取ることのできた方向識別情報に基づいて特定するような方法であれば、他の方法でもよい。
【００４１】
次に、本実施形態の動作について説明する。
ユーザは、以下の手順で間取り図を設計する。
Ａ．平面間取り設定
（１）床を設定する
ＲＦＩＤリーダ盤面１上に実際の材質が貼り付けられた床材模型４を置く（１つのリーダ上に複数の床材模型４が置かれたら警告する）。ＲＦＩＤリーダ３−１〜３−ｎ上から、床材模型４が取り除かれると、２次元の間取り図上からその部屋（床）がなくなる。何も置かれていないＲＦＩＤリーダ３−１〜３−ｎに対応する位置には画面上でも何も表示されない。
【００４２】
（２）壁面を設定する
次に、壁面、扉、窓を設置したい場所に対応するブロック上に、壁面模型５を東西南北のいずれかの方向で置く。但し、同じ読み取り周期の中で、複数の壁面模型５が置かれた場合（例えば西側と南側に壁面模型５が置かれた場合）は、読み取り時にタグＩＤの信号が衝突してしまい、西側および南側にどの壁面部品が置かれたのか判断できないため、読み取り不可を示すメッセージを出力する（例：「ひとつずつ置いて下さい」）。変更する場合は、全部取り除いてからすべて置き直すことになる。
【００４３】
（３）家具を設定する
家具を置きたい場所に対応するブロック上に、家具模型６を任意の方向で置く。方向センサ６−２が設けられているので、任意の方向で配置することができる。
【００４４】
Ｂ．３次元間取り設定
所望する視点の高さに応じたカメラ模型７を選択し、該カメラ模型７を３次元の間取り図を見たい場所に対応するブロック上に配置する。カメラ模型７を配置することで、２次元の間取り図から、３次元の間取り図へ自動的に移行する。方向センサ７−２が設けられている場合には、カメラ模型７の向きを変えることで、視点を回転させることが可能である。３ＤＣＧ外部アプリケーション１４の機能により、自動で周りを見回すような視点でビューを見せたり、角の部屋では９０度、中央の部屋では１８０度、または３６０度、視点を自動的に水平方向に回転させるようにしてもよい。
【００４５】
以下、各部の動作を詳細に説明する。
図１４は、本実施形態による間取り設計システムの動作（メインルーチン）を説明するためのフローチャートである。まず、初期画面をモニタ１５に表示する。該初期画面では、複数のＲＦＩＤリーダ３−１〜３−ｎに対応した画面を表示する。次に、タグＩＤ読取部１０は、全てのＲＦＩＤリーダ３−１〜３−ｎに接続したか否かを判定し（ステップＳ２）、全てのＲＦＩDリーダ３−１〜３−ｎに接続すると、全てのＲＦＩDリーダ３−１〜３−ｎからそれぞれに置かれた床材模型４、壁面模型５、家具模型６のタグＩＤを読み取る（ステップＳ３）。なお、該タグＩＤの読み取りの詳細については後述する。
【００４６】
次に、ＲＦＩDリーダ３−１〜３−ｎのリーダＩＤと、ステップＳ３で読み取った全てのタグＩＤの組合せと、前回のリーダＩＤとタグＩＤの組合せとに差分、すなわち変化があるか否かを判定し（ステップＳ４）、差分がない場合には、変化がなかったと判定し、それまでの表示画面を維持し（ステップＳ５）、ステップＳ３に戻り、上述した動作を繰り返す。
【００４７】
一方、差分があった場合には、得られたタグＩＤに従って、平面間取り、または３ＤＣＧによる立体間取りをモニタ１５に表示する（ステップＳ６）。なお、平面間取り、または３ＤＣＧによる立体間取りの表示の処理については後述する。次に、終了するか否かを判定し（ステップＳ７）、終了しない場合には、ステップＳ３に戻り、上述した動作を繰り返す。一方、終了する場合には、当該処理を終了する。
【００４８】
図１５は、本実施形態によるタグＩＤの読み取り処理の動作を説明するためのフローチャートである。図１４のステップＳ３におけるタグＩＤを読み取り時の処理においては、まず、ＲＦＩＤリーダ３−１〜３−ｎをカウントするリーダＩＤカウントを０とし（ステップＳ１０）、該リーダＩＤカウントに従って、順次、ＲＦＩＤリーダ３−ｉに接続し（ステップＳ１１）、リーダＩＤを取得し（ステップＳ１２）、タグＩＤ読取部１０は、該当ＲＦＩDリーダ３−ｉからその上に置かれた模型のタグＩＤ（1つ以上。何も模型が置かれていない場合には取得できるタグＩＤは０。）を受信し、図１１に示す設置模型テーブル１２−８に保存する候補としてメモリに一時保存し、また、タグＩＤ読取部１０は、床材模型４または壁面模型５のタグＩＤと、方向タグ２２−ｉのタグＩＤとの組合せをＲＦＩＤリーダ３−１〜３−ｎから受信し、図１３に示すタグ方向テーブル１２−１０に対応付けて保存する候補としてメモリに一時保存する（ステップＳ１３）。
【００４９】
次に、ＣＧ設定情報作成部１１は、新たに受信したリーダＩＤとタグＩＤとの組合せの関係が、それまで図１１に示す設置模型テーブル１２−８に記録されていた組合せの関係と同一であるか否かを判定する（ステップＳ１４）。そして、組合せの関係が変更した場合には、置かれた模型が変わったということであるので、一時的にメモリに保存していた、差分のタグＩＤや方向情報を、設置模型テーブル１２−８、センサ方向テーブル１２−９、タグ方向テーブル１２−１０にそれぞれに保存する（ステップＳ１５）。次に、リーダＩＤカウンタを１だけインクリメントし（ステップＳ１６）、該リーダＩＤカウントがＲＦＩDリーダ台数より大であるか否かを判定する（ステップＳ１７）。そして、リーダＩＤカウントがＲＦＩDリーダ台数より大でない場合、すなわち、まだタグＩＤを取得していないＲＦＩDリーダがある場合には、ステップＳ１１に戻り、次のＲＦＩDリーダに対して上述した動作を繰り返す。
【００５０】
また、新たに受信したリーダＩＤとタグＩＤとの組合せの関係が、それまで図１１に示す設置模型テーブル１２−８に記録されていた組合せの関係と同一である場合（ステップＳ１４のＹＥＳ）には、置かれた模型が変わっていないということであるので、タグＩＤを保存することなく、リーダＩＤカウンタを１だけインクリメントし（ステップＳ１６）、リーダＩＤカウントがＲＦＩDリーダ台数以上であるか否かを判定する（ステップＳ１７）。そして、リーダＩＤカウントがＲＦＩDリーダ台数以上でない場合、すなわち、まだタグＩＤを取得していないＲＦＩDリーダがある場合には、ステップＳ１１に戻り、次のＲＦＩDリーダに対して上述した動作を繰り返す。
【００５１】
一方、ステップＳ１７で、リーダＩＤカウントがＲＦＩDリーダ台数以上である場合、すなわち、全てのＲＦＩDリーダ３−１〜３−ｎからタグＩＤを取得した場合には、次に、タグＩＤ読取部１０は、家具模型６またはカメラ模型７の方向センサから、各センサＩＤと方向情報との組合せを受信し、図１２に示すセンサ方向テーブル１２−９に対応付けて保存する候補としてメモリに一時保存する（ステップＳ１８）。そして、当該処理を終了し、上述したメインルーチンに戻る。
【００５２】
図１６乃至図２０は、本実施形態による平面間取り、または３ＤＣＧによる立体間取りの表示処理を説明するためのフローチャートである。図１４のステップＳ６において、まず、ＣＧ設定情報作成部１１は、ステップＳ１４において同一でないと判定した、リーダＩＤと差分タグＩＤとの組合せの情報を入力し、図８に示すリーダＩＤテーブル１２−２からＲＦＩＤリーダ３−１〜３−ｎの位置座標を取得し（ステップＳ３０）、タグＩＤに従って図７に示すタグＩＤテーブル１２−１からタグ種別を読み出す（ステップＳ３１）。次に、タグ種別が床材であるか（ステップＳ３２）、壁面部品であるか（ステップＳ３４）、家具であるか（ステップＳ３５）、カメラであるか（ステップＳ３６）を判定する。
【００５３】
そして、タグ種別が床材であった場合には、図７に示すタグＩＤテーブル１２−１からそのタグＩＤに対する部材ＩＤ（床材ＩＤ）を読み出し、図１０（ａ）に示す床材テーブル１２−４から該床材ＩＤに対する設定値（ＣＧ部品、画像ファイルのパス）を読み出し（ステップＳ３８）、ＣＧ作成用のプロパティファイルを作成し、２ＤＣＧ作成アプリケーション１３に供給する。該２ＤＣＧ作成アプリケーション１３は、上記プロパティファイルに従って、リーダＩＤに対応する位置に床材画像をモニタ１５に表示する（ステップＳ４０）。その後、当該処理を終了する。
【００５４】
一方、タグ種別が壁面部品であった場合には、図７に示すタグＩＤテーブル１２−１からそのタグＩＤに対する部材ＩＤ（壁面ＩＤ）を読み出し、図１０（ｂ）に示す壁面テーブル１２−５から該壁面ＩＤに対する設定値（ＣＧ部品、画像ファイルのパス）を読み出す（ステップＳ４１）。次に、図１３に示すタグ方向テーブル１２−１０から、壁面模型５の配置されたＲＦＩＤリーダ３−ｎのリーダＩＤと、壁面部品の該当タグＩＤに対応付けられて登録されている４つ以下の方向タグＩＤを読み出し、その壁面模型のタグＩＤを取得したリーダＩＤのＲＦＩＤリーダ３ｎに備えられている４つの方向タグＩＤと、それら４つの方向タグＩＤのうち読み取ることのできた方向タグＩＤ（取得フラグ１を示している方向タグＩＤ）を比較し、読み取ることの出来なかった方向タグＩＤがあるか否かを判定し、その読み取ることの出来なかった方向タグＩＤのＲＦＩＤリーダ３ｎ上の位置を特定（例えば、図１３で示すように、どの方向タグＩＤがＲＦＩＤリーダ３ｎ上のどの方向に位置する方向タグのＩＤかをデータテーブル等に記憶しておけばよい）することにより、方向タグ２２−１〜２２−４のいずれかが遮断されているか否かを判定し（ステップＳ４２）、これにより、方向タグ２２−１〜２２−４のいずれかが遮断されていない場合、すなわち、壁面模型５が正しく置かれていない場合には、「正しく置いてください」などのメッセージをモニタに表示するエラー処理を行い（ステップＳ４３）、当該処理を終了する。
【００５５】
一方、方向タグ２２−１〜２２−４のいずれかが遮断されている場合には、遮断された方向タグＩＤ２２−ｊの方向情報をタグ方向テーブル１２−１０から取得し（ステップＳ４４）、上記設定値（ＣＧ部品、画像ファイルのパス）と方向情報とからＣＧ作成用のプロパティファイルを作成し、２ＤＣＧ作成アプリケーション１３に供給する。該２ＤＣＧ作成アプリケーション１３は、上記プロパティファイルに従って、リーダＩＤに対応する位置に、遮断された方向タグ２２−ｊの方向に壁面画像をモニタ１５に表示する（ステップＳ４５）。その後、当該処理を終了する。
【００５６】
また、タグ種別が家具であった場合には、図７に示すタグＩＤテーブル１２−１からそのタグＩＤに対する部材ＩＤ（家具ＩＤ）を読み出し、図１０（ｃ）に示す家具テーブル１２−６から該家具ＩＤに対する設定値（ＣＧ部品、画像ファイルのパス）を読み出し（ステップＳ４６）、ＣＧ作成用のプロパティファイルを作成し、２ＤＣＧ作成アプリケーション１３に供給する。該２ＤＣＧ作成アプリケーション１３は、上記プロパティファイルに従って、リーダＩＤに対応する位置に家具画像をモニタ１５に表示する（ステップＳ４７）。
【００５７】
次に、方向センサ６−２と家具模型６とが接続されているか否かを判定し（ステップＳ４８）、方向センサ６−２が接続されている場合には、図１２に示すセンサ方向テーブル１２−９から、対応するセンサＩＤの方向情報（回転）を取得し、２ＤＣＧ作成アプリケーション１３は、センサＩＤの方向情報（回転）に従って、２次元の間取り図上の家具画像を回転させ（ステップＳ４９）、当該処理を終了する。
【００５８】
また、タグ種別がカメラであった場合には、図７に示すタグＩＤテーブル１２−１からそのタグＩＤに対する部材ＩＤ（カメラＩＤ）を読み出し、図１０（ｄ）に示すカメラテーブル１２−７から該カメラＩＤに対するカメラ情報（高さ）を取得し（ステップＳ５０）、該カメラ情報（高さ）に従って、ＣＧ作成用のプロパティファイル（３ＤＣＧ設定ファイル）を作成し、保存する（ステップＳ５１）。次に、３ＤＣＧ作成外部アプリケーション１４を起動し（または切り替え）、上記３ＤＣＧ設定ファイルに従って、カメラの視点高さで３次元の間取り図を作成してモニタ１５に表示する（ステップＳ５２）。
【００５９】
次に、方向センサ７−２とカメラ模型７とが接続されているか否かを判定し（ステップＳ５３）、方向センサ７−２が接続されている場合には、図１２に示すセンサ方向テーブル１２−９から、対応するセンサＩＤの方向情報（回転、仰角）を取得し、３ＤＣＧ作成外部アプリケーション１４は、センサＩＤの方向情報（回転、仰角）に従って、３次元の間取り図上における視点方向・仰角を動かし（ステップＳ５４）、当該処理を終了する。
【００６０】
上述した実施形態によれば、ＲＦＩＤタグを貼り付けた床材模型４、壁面模型５、家具模型６、カメラ模型７を、碁盤目状に配置されたＲＦＩＤリーダ３−１〜３−ｎ上に置くことで、何がどこに置かれたかを自動的に認識させ、置かれたものを入力として画面に表示させることで、ユーザが直感的に操作することができるとともに、複数のユーザにより同時に操作しても、効率的に間取り設計を行うことができる。
【００６１】
なお、上述した実施形態では、住宅等の間取り図の設計を例に説明したが、これに限らず、個々の構成要件の位置や、方向を設定する必要がある分野であれば、住宅等の間取り図設計に限定されることはない。
【００６２】
また、上述の間取り設計システムにおける間取り設計装置は、内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００６３】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００６４】
【図１】本発明の実施形態による間取り設計システムの構成を示すブロック図である。
【図２】本実施形態による床材模型、壁面模型、家具模型の外観を示す斜視図である。
【図３】本実施形態による壁面模型に貼り付けられている壁面種別を表す図面を示す模式図である。
【図４】本実施形態によるカメラ模型の外観を示す斜視図である。
【図５】本実施形態による壁面模型とＲＦＩＤリーダ盤面のブロックとの関係、構造を示す上面図である。
【図６】本実施形態による間取り設計システムにより作成された間取り図の表示例を示す模式図である。
【図７】本実施形態によるデータベースのタグＩＤテーブルのデータ構成を示す概念図である。
【図８】本実施形態によるデータベースのリーダＩＤテーブルのデータ構成を示す概念図である。
【図９】本実施形態によるデータベースのセンサＩＤテーブルのデータ構成を示す概念図である。
【図１０】本実施形態によるデータベースの床材テーブル、壁面テーブル、家具テーブル、カメラテーブルのデータ構成を示す概念図である。
【図１１】本実施形態での動作において、データベースに随時記憶される各ＲＦＩＤリーダに置かれたＲＦＩＤタグを管理する設置模型テーブルのデータ構成を示す概念図である。
【図１２】本実施形態での動作において、家具模型及びカメラ模型に設けられている方向センサから送信される方向情報を格納するセンサ方向テーブルのデータ構成を示す概念図である
【図１３】本実施形態での動作において、壁面模型がどの方向に置かれているかを示す情報を格納するタグ方向テーブルのデータ構成を示す概念図である。
【図１４】本実施形態による間取り設計システムの動作（メインルーチン）を説明するためのフローチャートである。
【図１５】本実施形態によるタグＩＤの読み取り処理の動作を説明するためのフローチャートである。
【図１６】本実施形態による平面間取り、または３ＤＣＧによる立体間取りの表示処理を説明するためのフローチャートである。
【図１７】本実施形態による平面間取り、または３ＤＣＧによる立体間取りの表示処理を説明するためのフローチャートである。
【図１８】本実施形態による平面間取り、または３ＤＣＧによる立体間取りの表示処理を説明するためのフローチャートである。
【図１９】本実施形態による平面間取り、または３ＤＣＧによる立体間取りの表示処理を説明するためのフローチャートである。
【図２０】本実施形態による平面間取り、または３ＤＣＧによる立体間取りの表示処理を説明するためのフローチャートである。
【符号の説明】
【００６５】
１  ＲＦＩＤリーダ盤面
２−１〜２−ｎ  ブロック
３−１〜３−ｎ  ＲＦＩＤリーダ
４  床材模型
４−１  ＲＦＩＤタグ
４−２  材質サンプル
５  壁面模型
５−１  ＲＦＩＤタグ
５−２  材質サンプル
５−５  金属箔
６  家具模型
６−１  ＲＦＩＤタグ
６−２  方向センサ
７  カメラ模型
７−１  ＲＦＩＤタグ
７−２  方向センサ
１０  タグＩＤ読取部
１１  ＣＧ設定情報作成部
１２  データベース
１２−１  タグＩＤテーブル
１２−２  リーダＩＤテーブル
１２−３  センサＩＤテーブル
１２−４  床材テーブル
１２−５  壁面テーブル
１２−６  家具テーブル
１２−７  カメラテーブル
１２−８  設置模型テーブル
１２−９  センサ方向テーブル
１２−１０  タグ方向テーブル
１３  ２ＤＣＧ作成アプリケーション
１４  ３ＤＣＧ作成アプリケーション
１５  モニタ
２０  溝
２２−１〜２２−４  方向タグ
【図１】
2009093330.tif 000003
【図２】
2009093330.tif 000004
【図３】
2009093330.tif 000005
【図４】
2009093330.tif 000006
【図５】
2009093330.tif 000007
【図６】
2009093330.tif 000008
【図７】
2009093330.tif 000009
【図８】
2009093330.tif 000010
【図９】
2009093330.tif 000011
【図１０】
2009093330.tif 000012
【図１１】
2009093330.tif 000013
【図１２】
2009093330.tif 000014
【図１３】
2009093330.tif 000015
【図１４】
2009093330.tif 000016
【図１５】
2009093330.tif 000017
【図１６】
2009093330.tif 000018
【図１７】
2009093330.tif 000019
【図１８】
2009093330.tif 000020
【図１９】
2009093330.tif 000021
【図２０】
2009093330.tif 000022